(57)【特許請求の範囲】
【請求項１】
柄と、
回転部と、
前記柄に対し前記回転部を回転可能に接続する接続部と、
前記回転部に設けられた、ボタンを引掛けることが可能な引掛部と、
を備え、
前記接続部は、前記柄に対する前記回転部の角度が予め設定された範囲内であるとき、前記引掛部の先端から前記接続部に向かう方向の力が前記回転部に加わっている場合は、前記力が加わっていない場合よりも、前記回転部の回転抵抗を大きくするように構成されたボタン掛け具。
【請求項２】
請求項１に記載のボタン掛け具であって、
前記接続部は、
前記回転部と前記柄とのうちの一方に設けられた軸と、
前記回転部と前記柄とのうちの他方に設けられた、前記軸を軸支する軸受けと、を備え、
前記軸のうち、前記角度が前記範囲内であり、前記回転部に前記力を加えたときに前記軸受けの内周面に押し付けられる部分の半径は、それ以外の部分の半径より小さいボタン掛け具。
【請求項３】
請求項２に記載のボタン掛け具であって、
前記接続部は、前記軸を、前記軸受けにおける一方の側に向けて付勢する付勢部をさらに備えるボタン掛け具。
【請求項４】
請求項１〜３のいずれか１項に記載のボタン掛け具であって、
前記引掛部は、先端の形状が略Ｕ字型である線状部材から成るボタン掛け具。
【請求項５】
請求項４に記載のボタン掛け具であって、
前記引掛部は、前記先端に比べて前記線状部材同士の幅が広い広幅部を、前記先端よりも前記接続部に近い側に有するボタン掛け具。
【請求項６】
請求項１〜６のいずれか１項に記載のボタン掛け具であって、
前記引掛部により引掛けられたボタンの少なくとも一部を、前記引掛部とともに挟むように構成された押さえ部をさらに備えるボタン掛け具。
【請求項７】
請求項６に記載のボタン掛け具であって、
少なくとも前記引掛部又は前記押さえ部の先端を含む部分において、前記押さえ部と前記引掛部との間隔は、前記引掛部の先端にゆくほど狭いボタン掛け具。
【発明の詳細な説明】
【技術分野】
【０００１】
本発明はボタン掛け具に関する。
【背景技術】
【０００２】
従来、柄と、ボタンを引掛ける引掛部とを備えたボタン掛け具が知られている（特許文献１、２参照）。このボタン掛け具は以下のように使用される。まず、引掛部を衣服のボタンホールに表側から差し込み、引掛部の先端にボタンを引掛ける。次に、引掛部をボタンホールから引き出す。このとき、ボタンのうち、半分程度がボタンホールを通過し、衣服の表側に露出する。次に、引掛部を、ボタンを中心として回転させ、ボタンの全体を衣服の表側に引き出す。最後に、ボタン掛け具をボタンから取り外す。
【先行技術文献】
【特許文献】
【０００３】
【特許文献１】特開平１１−３４６８０７号公報
【特許文献２】特開２００４−１５９８３８号公報
【発明の概要】
【発明が解決しようとする課題】
【０００４】
引掛部を、柄に対し回転可能に取り付けることが考えられる。この場合、ボタンを中心として引掛部を回転させるとき、柄の向きを一定に保つことができ、操作性が向上する。しかしながら、引掛部が柄に対し回転可能であると、引掛部をボタンホールに差し込み、ボタンを引掛けようとするとき、使用者の意図に反して引掛部が回転してしまい、ボタンを引掛けることが困難になってしまう。  
【０００５】
本発明は、こうした問題に鑑みてなされたものであり、操作性において優れたボタン掛け具を提供することを目的としている。
【課題を解決するための手段】
【０００６】
本開示のボタン掛け具は、柄と、回転部と、前記柄に対し前記回転部を回転可能に接続する接続部と、前記回転部に設けられた、ボタンを引掛けることが可能な引掛部と、を備え、前記接続部は、前記柄に対する前記回転部の角度が予め設定された範囲内であるとき、前記引掛部の先端から前記接続部に向かう方向の力が前記回転部に加わっている場合は、前記力が加わっていない場合よりも、前記回転部の回転抵抗を大きくするように構成されている。
【０００７】
本開示のボタン掛け具における引掛部をボタンホールに差し込むとき、柄に対する回転部の角度を、前記範囲内とすることができる。引掛部をボタンホールに差し込むとき、回転部に対し、引掛部の先端部から接続部に向かう方向の力が加わる。そのため、引掛部をボタンホールに差し込むとき、回転部の回転抵抗は大きい。その結果、引掛部をボタンホールに差し込むとき、使用者の意図に反して回転部が回転してしまうようなことが起こりにくく、ボタン掛け具の操作性が向上する。
【図面の簡単な説明】
【０００８】
【図１】ボタン掛け具１の構成を表す斜視図である。
【図２】ボタン掛け具１の構成を表す斜視図である。
【図３】ボタン掛け具１の構成を表す正面図である。
【図４】ボタン掛け具１の構成を表す平面図である。
【図５】ボタン掛け具１の構成を表す下面図である。
【図６】ボタン掛け具１の構成を表す背面図である。
【図７】ボタン掛け具１の構成を表す左側面図である。
【図８】ボタン掛け具１の構成を表す右側面図である。
【図９】図３におけるIX-IX断面での断面図である。
【図１０】図３におけるX-X断面での断面図である。
【図１１】図４におけるXI-XI断面での断面図である。
【図１２】ボタン掛け具１の使用方法を表す説明図である。
【図１３】ボタン掛け具１の構成を表す斜視図である。
【図１４】ボタン掛け具１の構成を表す斜視図である。
【図１５】ボタン掛け具１の構成を表す背面図である。
【図１６】ボタン掛け具１の構成を表す左側面図である。
【図１７】図１５におけるXVII-XVII断面での断面図である。
【図１８】図１５におけるXVII-XVII断面での断面図であって、回転部５の角度を第２の角度としたときの断面図である。
【図１９】回転部５の構成を表す平面図である。
【図２０】ボタン掛け具１の構成を表す平面図である。
【図２１】図２０におけるXXI-XXI断面での断面図である。
【図２２】ボタン掛け具１の使用方法を表す説明図である。
【図２３】ボタン掛け具１の使用方法を表す説明図である。
【図２４】ボタン掛け具１の使用方法を表す説明図である。
【図２５】別形態における回転部５の構成を表す平面図である。
【図２６】別形態における回転部５の構成を表す側面図である。
【図２７】別形態におけるボタン掛け具１の構成を表す斜視図である。
【図２８】別形態におけるボタン掛け具１の構成を表す斜視図である。
【図２９】別形態における回転部５の構成を表す側面図である。
【発明を実施するための形態】
【０００９】
本発明の実施形態を図面に基づき説明する。
＜第１実施形態＞
１．ボタン掛け具１の構成
ボタン掛け具１の構成を、図１〜図１１に基づき説明する。ボタン掛け具１は、柄３と、回転部５と、を備える。
【００１０】
図１、２、３、６に示すように、柄３は、円盤における下側を切り欠いた基本形態を有する。なお、以下では、図３における上下左右を、それぞれ、柄３の上下左右とする。また、図３における手前側を、柄３の正面とし、図３における背面側を、柄３の背面とする。
【００１１】
図１、２、３、６に示すように、柄３は、その下側に第１底面７と、第１底面７よりも１段下側に突出した第２底面９とを有する。第１底面７及び第２底面９はともに平坦であり、互いに平行である。
【００１２】
図１、３、１１に示すように、柄３は、その正面に、孔１１を備える。正面から見たとき、孔１１の形状は円形である。孔１１は、正面から背面に向かう方向において所定の深さを有する。孔１１の内径は、深さによらず一定である。その内径は、ペットボトルにおけるキャップの外径に対応する寸法である。孔１１の内周面には、鋸歯状の凹凸１３が設けられている。ペットボトルのキャップを孔１１内に挿入しておき、ペットボトルの本体に対し柄３を相対的に回転させることにより、ペットボトルのキャップを緩めることができる。
【００１３】
図１、２、３、５、６、１１に示すように、回転部５は、略直方体形状を有する根元部１５と、引掛部１７と、を備える。引掛部１７は、金属から成る１本の線状部材を、略Ｕ字型に折り曲げた部材である。線状部材の両端は、根元部１５における一方の側面１９に差し込まれている。
【００１４】
図１、２、４、５に示すように、引掛部１７は、先端部２１と、広幅部２３とを備える。先端部２１は、引掛部１７のうち、根元部１５とは反対側にある部分である。先端部２１において、線状部材はＵ字型の形状を有する。先端部２１における線状部材同士の間隔は、正面−背面方向において一定である。ここで、正面−背面方向とは、柄３に対する引掛部１７の角度が図３、図４に示す角度であるときの、柄３における正面から背面に向かう方向である。広幅部２３は、先端部２１よりも、根元部１５側にある。広幅部２３における線状部材同士の間隔は、先端部２１における間隔より広い。引掛部１７を構成する線状部材の、柄３における上下方向での位置は、引掛部１７のどこでも一定である。
【００１５】
図３、９、１０、１１に示すように、第２底面９には、下向きに突出する、円柱形状の軸２５が設けられている。軸２５の中心には、上下方向に延びる孔２７が形成されている。その孔２７には、棒状部材２９が差し込まれている。棒状部材２９は、その下端に、外側に広がる鍔部３１を備える。鍔部３１の外径は、軸２５の外径より大きい。鍔部３１は、軸２５の下端面に当接している。
【００１６】
図１０に示すように、水平面で切ったときの軸２５の断面形状は、基本的には円形である。ただし、軸２５の左側には、平坦部３３が設けられている。平坦部３３は、円柱の一部を、円柱の軸に平行な切断面で切断したときの切断面の形態を有する。軸２５の平坦部３３における半径は、それ以外の部分における半径より小さい。
【００１７】
図１、２、３、５、９、１０、１１に示すように、根元部１５は、その中心に、上下方向に延びる孔である軸受け３５を備える。軸受け３５の内径は、側面１９からその反対の側面３７に向かう方向（以下では長手方向とする）では長く、長手方向に直交する方向（以下では短手方向とする）では短い。
【００１８】
図９に示すように、軸受け３５の内径は、根元部１５の下端付近にある下端部３５Ａでは、それよりも上方の部分３５Ｂに比べて大きくなっている。軸受け３５の下端部３５Ａにおける短手方向での内径は、鍔部３１の外径と同程度である。軸受け３５の部分３５Ｂにおける、短手方向での内径は、鍔部３１の外径より小さく、軸２５の直径と同程度である。
【００１９】
図３、９、１０、１１に示すように、軸２５は、軸受け３５に差し込まれ、軸支されている。鍔部３１は軸受け３５の下端部３５Ａ内に収容されている。鍔部３１の外径は、軸受け３５の部分３５Ｂにおける内径より大きいため、軸受け３５から軸２５が抜けることが防止される。軸２５及び軸受け３５は接続部に対応する。
【００２０】
軸２５の外径は、軸受け３５の短手方向における内径にほぼ等しい。そのため、軸受け３５に軸支されている軸２５の短手方向における動きは小さい。一方、軸２５の外径は、軸受け３５の長手方向における内径より小さい。そのため、軸受け３５に軸支されている軸２５は、長手方向にスライド可能である。
【００２１】
図３、１０、１１に示すように、根元部１５の内部には、軸受け３５から、側面３７に至る孔３９が設けられている。
図３、１０、１１に示すように、軸受け３５のうち、側面３７側の部分、及び孔３９の内部には、付勢部４１が収容されている。付勢部４１は、本体部４３と、コイル状のバネ４５とを備える。
【００２２】
さらに、本体部４３は、軸部４３Ａと、押圧部４３Ｂとを備える。押圧部４３Ｂは、軸部４３Ａの一端に接続し、軸部４３Ａよりも太い。押圧部４３Ｂは、軸受け３５内に存在し、軸２５に臨む。軸部４３Ａの一部は軸受け３５内に存在し、残りは孔３９内に存在する。本体部４３は、軸受け３５及び孔３９の内部において、長手方向にスライド可能である。
【００２３】
バネ４５は、軸部４３Ａに外挿されている。バネ４５の一端は、押圧部４３Ｂに当接し、バネ４５の他端は、軸受け３５の内面のうち、孔３９の周囲の部分に当接している。バネ４５は、本体部４３を、軸受け３５の内周面のうち、側面１９側にある面（以下では第１の面４７とする）の方向に向けて付勢する。付勢された本体部４３は、軸２５に当接し、軸２５を、第１の面４７の方向に向けて付勢する。よって、付勢部４１は、軸２５を、第１の面４７の方向に向けて付勢する。
【００２４】
２．ボタン掛け具１の動作
回転部５に設けられた軸受け３５は、柄３に設けられた軸２５を軸支している。そのため、回転部５は、柄３に対し、軸２５を中心として回転可能である。
【００２５】
軸２５は、付勢部４１により、軸受け３５における第１の面４７の側に向けて付勢されている。そのため、軸受け３５内における軸２５の位置は安定している。ただし、回転部５に対し、第１の面４７が軸２５から離間する方向の力を加えると、回転部５は、柄３に対して相対的に、その方向に移動する。
【００２６】
柄３に対する回転部５の角度が所定の角度であるとき、軸２５のうち、平坦部３３が第１の面４７に当接する。このときの柄３に対する回転部５の角度を、以下では、第１の角度とする。第１の角度は、予め設定された範囲に対応する。柄３に対する回転部５の角度が第１の角度であるとき、引掛部１７の先端部２１は、柄３の左方向に突出する。
【００２７】
回転部５を回転させることで、柄３に対する回転部５の角度を、第１の角度から変化させてゆくとき、軸２５のうち、第１の面４７に当接する部分は、平坦部３３から、それ以外の部分へと変化する。平坦部３３における軸２５の半径よりも、それ以外の部分における軸２５の半径の方が大きいため、柄３に対する回転部５の角度を、第１の角度から変化させてゆくとき、第１の面４７は、バネ４５の付勢力に抗して、軸２５の中心から遠ざかる。
【００２８】
その結果、柄３に対する回転部５の角度を、第１の角度から変化させてゆくとき、回転部５の回転抵抗は、それ以外の場合（例えば、軸２５のうち、平坦部３３以外の部分が第１の面４７に当接している範囲内で回転部５を回転させる場合）より大きい。なお、回転抵抗とは、柄３に対して回転部５を回転させるために要するトルクの大きさを意味する。
【００２９】
また、柄３に対する回転部５の角度が第１の角度であり、且つ、回転部５に対し、先端部２１から軸２５に向かう方向の力Ｆが加わっている場合、第１の面４７に対し、平坦部３３が強く押し付けられる。この場合の回転部５の回転抵抗は、以下のいずれの場合における回転抵抗よりも大きい。
【００３０】
（ａ）柄３に対する回転部５の角度が第１の角度であり、上記の力Ｆは回転部５に加わっていない場合。なお、力Ｆが回転部５に加わっていない場合には、回転部５に何の力も加わっていない場合と、回転部５に、力Ｆとは異なる方向の力（例えば、力Ｆとは反対方向の力）が加わっている場合とが含まれる。
【００３１】
（ｂ）柄３に対する回転部５の角度が、第１の角度以外の角度である場合。上記の力Ｆは回転部５に加わっていてもよいし、加わっていなくてもよい。
３．ボタン掛け具１の使用方法
ボタン掛け具１の使用方法を図１２に基づき説明する。ここでは、ボタン掛け具１を用いて、第１の布４９に取り付けられたボタン５１を、第２の布５３に設けられたボタンホール５５に掛ける。第１の布４９及び第２の布５３は、例えば、１つの衣服の一部である。
【００３２】
ステップ１において、柄３に対する回転部５の角度を第１の角度とする。第１の角度は、後述するステップ３が終了するまで維持する。
次に、ステップ２において、引掛部１７を、表側からボタンホール５５に差し込む。なお、表側とは、図１２における紙面手前側である。さらに、引掛部１７でボタン５１を引掛ける。
【００３３】
引掛部１７でボタン５１を引掛けるとは、ボタン５１を第１の布４９に縫い付けた糸５７が、引掛部１７の中にある状態を意味する。ボタン５１を、広幅部２３において、引掛部１７の裏側から表側に通過させ、次に、引掛部１７を図１２における左側に移動させることにより、引掛部１７でボタン５１を引掛けることができる。
【００３４】
引掛部１７をボタンホール５５に差し込むとき、第２の布５３との接触抵抗により、回転部５に対し、先端部２１から軸２５に向かう方向の力Ｆが加わる。
次に、ステップ３において、前記ステップ２とは逆の方向にボタン掛け具１を引っ張る。このとき、引掛部１７に引掛けられたボタン５１のうち、約半分がボタンホール５５を通過し、第２の布５３の表側に露出する。引掛部１７のうち、糸５７を引掛けている部分は先端部２１である。
【００３５】
次に、ステップ４において、柄３を、ボタン５１を中心として３６０度回転させる。このとき、引掛部１７により、ボタン５１に対し引っ張り力を加え続ける。その結果、柄３を回転させるとき、回転部５には、力Ｆとは反対方向の力が加わる。また、柄３を回転させるとき、柄３の向きは常に一定とする。
【００３６】
柄３が上記のように回転するとき、引掛部１７は、糸５７及びそれを引掛けている先端部２１を中心として回転する。引掛部１７は、上記のように回転するとき、ボタン５１の全体を、第２の布５３の表側に引き出す。その結果、ボタン５１がボタンホール５５に掛けられる。
【００３７】
次に、ステップ５において、ボタン掛け具１をボタン５１から取り外す。具体的には、まず、ボタン掛け具１を図１２における右側に移動させ、表側から見て、ボタン５１が広幅部２３内に位置するようにする。このとき、回転部５に対し、先端部２１から軸２５に向かう方向の力Ｆが加わっている。次に、ボタン掛け具１を表側に移動し、ボタン掛け具１をボタン５１から取り外す。
【００３８】
４．ボタン掛け具１が奏する効果
（１Ａ）前記ステップ２において、引掛部１７をボタンホール５５に差し込むとき、柄３に対する回転部５の角度は第１の角度であり、且つ、回転部５に対し、先端部２１から軸２５に向かう方向の力Ｆが加わっている。そのため、回転部５の回転抵抗は大きい。その結果、引掛部１７をボタンホール５５に差し込むとき、使用者の意図に反して回転部５が回転してしまうようなことが起こりにくく、前記ステップ２の操作が容易となる。
【００３９】
（１Ｂ）前記ステップ４において、回転の開始前及び回転の終了後を除いて、柄３に対する回転部５の角度は第１の角度ではない。また、回転部５に対し、先端部２１から軸２５に向かう方向の力Ｆが加わっていない。そのため、前記ステップ４において、回転部５の回転抵抗は小さい。その結果、前記ステップ４の操作を容易に行うことができる。
【００４０】
（１Ｃ）前記ステップ４において、柄３の向きを一定に維持したまま、柄３を回転させることができる。そのことにより、前記ステップ４の操作を容易に行うことができる。また、前記ステップ５において、上述したように、回転部５に対し、先端部２１から軸２５に向かう方向の力Ｆが加わるので、回転部５の回転抵抗は大きい。その結果、前記ステップ５において、使用者の意図に反して回転部５が回転してしまうようなことが起こりにくく、ボタン掛け具１をボタン５１から取り外す操作が容易になる。
【００４１】
（１Ｄ）ボタン掛け具１は、軸２５と軸受け３５とにより、回転部５を柄３に回転可能に接続している。また、軸２５に平坦部３３を設けている。そのことにより、簡易な構成で、回転部５の回転抵抗を状況に応じて変化させることができる。
【００４２】
（１Ｅ）ボタン掛け具１は、軸２５を、軸受け３５における第１の面４７の側に向けて付勢する付勢部４１を備える。そのことにより、軸受け３５内における軸２５の位置を安定的に維持することができる。
【００４３】
（１Ｆ）引掛部１７は、先端部２１の形状がＵ字型である線状部材から成る。そのことにより、ボタンを容易に引掛けることができる。また、引掛部１７の構成を簡略化できる。
【００４４】
（１Ｇ）引掛部１７は、先端部２１に比べて線状部材同士の幅が広い広幅部２３を、先端部２１よりも軸２５に近い側に有する。そのことにより、引掛部１７でボタンを引掛けること、及び、引掛部１７からボタンを取り外すことが容易である。
＜第２実施形態＞
１．第１実施形態との相違点
第２実施形態は、基本的な構成は第１実施形態と同様であるため、相違点について以下に説明する。なお、第１実施形態と同じ符号は、同一の構成を示すものであって、先行する説明を参照する。
【００４５】
図１３〜図１６、図１９、図２０に示すように、ボタン掛け具１は、押さえ部５９をさらに備える。押さえ部５９は、金属から成る１本の線状部材をＵ字形状に折り曲げた部材である。図１３、図１５に示すように、押さえ部５９は、引掛部１７よりも上方に位置する。押さえ部５９を構成する線状部材の両端は、根元部１５における側面１９のうち、引掛部１７が差し込まれている部分よりも上方の部分に差し込まれている。
【００４６】
図１９に示すように、上面視において、押さえ部５９の長手方向は引掛部１７の長手方向と平行である。上面視において、押さえ部５９と引掛部１７とは重なる位置にある。押さえ部５９の水平方向における幅は、先端部２１の幅と略同一である。図１３〜図１６、図１９、図２０に示すように、押さえ部５９の先端と、引掛部１７の先端とは、近接した位置にある。
【００４７】
図１５に示すように、背面視において、押さえ部５９及び引掛部１７は、それぞれ、先端側が下がるように傾斜している。背面視において、押さえ部５９と引掛部１７との上下方向における間隔は、側面１９から、広幅部２３における最も幅が広い位置までの区間では、引掛部１７の先端にゆくほど広く、広幅部２３における最も幅が広い位置から、引掛部１７の先端までの区間では、引掛部１７の先端にゆくほど狭い。
【００４８】
図２１に示すように、軸２５は、軸受け３５に差し込まれ、軸支されている。図１７、図１８に示すように、軸２５の断面形状は基本的には円形である。ただし、軸２５の外周面には、２箇所の凹部６１、６３が形成されている。凹部６１、６３は、軸２５の中心に向けて凹んでいる部分である。凹部６１と凹部６３とは、軸２５の中心から見て互いに反対方向にある。
【００４９】
軸受け３５の内周面のうち、側面１９の側の部分に、凸部６５が形成されている。凸部６５は、軸２５に向けて突出している部分である。図１３に示すように、柄３に対する回転部５の角度が第１の角度のとき、図１７に示すように、凸部６５は凹部６１に進入する。このとき、回転部５の回転抵抗は大きい。特に、第１の角度において引掛部１７をボタンホール５５に差し込むとき、回転部５に対し、先端部２１から軸２５に向かう方向の力Ｆが加わると（図１２参照）、凸部６５が凹部６１に押し込まれるので、回転部５の回転抵抗は一層大きい。その結果、第１の角度において引掛部１７をボタンホール５５に差し込むとき、使用者の意図に反して回転部５が回転してしまうようなことが起こりにくく、前記ステップ２の操作が容易となる。
【００５０】
また、図１４に示すように、柄３に対する回転部５の角度が第１の角度から１８０度回転した角度（以下では第２の角度とする）のとき、図１８に示すように、凸部６５は凹部６３に進入する。このとき、回転部５の回転抵抗は大きい。特に、第２の角度において、引掛部１７をボタンホール５５に差し込むとき、回転部５に対し、先端部２１から軸２５に向かう方向の力が加わると、凸部６５が凹部６３に押し込まれるので、回転部５の回転抵抗は一層大きい。その結果、第２の角度において引掛部１７をボタンホール５５に差し込むとき、使用者の意図に反して回転部５が回転してしまうようなことが起こりにくく、前記ステップ２の操作が容易となる。
【００５１】
図１７、図１８、図２１に示すように、軸受け３５は、側面３７の側で、壁６４によって閉じている。バネ４５の一端は、壁６４に当接し、他端は、本体４３に当接している。バネ４５は、本体４３及び軸２５を、側面１９の側に付勢する。
【００５２】
２．ボタン掛け具１の使用方法
ボタン掛け具１の使用方法は第１実施形態と同様である。ボタン掛け具１を使用するとき、押さえ部５９は以下のように作用する。
【００５３】
図２２に示すように、第１の布５３に設けられたボタンホール５５に、引掛部１７及び押さえ部５９を差し込む。そして、ボタン５１を、広幅部２３において、引掛部１７の裏側から表側に通過させる。このとき、広幅部２３において、押さえ部５９と引掛部１７との上下方向における間隔は広いから、押さえ部５９とボタン５１とが干渉することはない。
【００５４】
次に、引掛部１７を図２２における左側に移動させることにより、図２３に示すように、先端部２１でボタン５１を引掛ける。このとき、押さえ部５９は、ボタン５１を、先端部２１とともに上下から挟む。先端部２１において、押さえ部５９と引掛部１７との上下方向における間隔は狭いから、押さえ部５９とボタン５１との上下方向における間隔も狭い。
【００５５】
次に、図２４に示すように、ボタン掛け具１を左方向に移動させることで、ボタン５１の一部をボタンホール５５から引き出す。以降の操作は第１実施形態と同様である。
柄３が備える孔１１１は、柄３の正面から背面まで貫通している。正面から見た孔１１１の形状は、第１実施形態における孔１１と同様である。
【００５６】
３．ボタン掛け具１が奏する効果
以上詳述した第２実施形態によれば、前述した第１実施形態の効果（１Ａ）〜（１Ｇ）を奏し、さらに、以下の効果を奏する。
【００５７】
（２Ａ）引掛部１７で引掛けたボタンを押さえ部５９が押さえることにより、ボタンの姿勢が安定する。そのため、引掛部１７で引掛けたボタンをボタンホールに引き寄せる段階（図１２のステップ３参照）で、ボタンが裏返ったり、立ったりすることを抑制できる。その結果、ボタンをボタンホールに引き寄せる操作が一層容易になる。
【００５８】
（２Ｂ）引掛部１７及び押さえ部５９の先端を含む部分において、押さえ部５９と引掛部１７との上下方向における間隔は、引掛部１７及び押さえ部５９の先端にゆくほど狭い。そのため、引掛部１７及び押さえ部５９をボタンホールに差し込むことが一層容易である。
【００５９】
（２Ｃ）柄３に対する回転部５の角度が第２の角度であり、回転部５に対し、先端部２１から軸２５に向かう方向の力が加わっている場合も、回転部５の回転抵抗は大きい。その結果、柄３に対する回転部５の角度が第２の角度である状態でも、引掛部１７をボタンホール５５に差し込むとき、使用者の意図に反して回転部５が回転してしまうようなことが起こりにくく、前記ステップ２の操作が容易となる。
【００６０】
（２Ｄ）孔１１１は、柄３の正面から背面まで貫通している。ボタン掛け具１を使用するとき、使用者の指を孔１１１に通して、柄３を保持することができる。そのため、ボタン掛け具１の操作性が一層向上する。また、第１実施形態における孔１１と同様に、孔１１１を用いて、ペットボトルのキャップを緩めることができる。
＜第３実施形態＞
１．第１実施形態との相違点
第３実施形態は、基本的な構成は第１実施形態、第２実施形態と同様であるため、相違点について以下に説明する。なお、第１実施形態、第２実施形態と同じ符号は、同一の構成を示すものであって、先行する説明を参照する。
【００６１】
図２５、図２６に示すように、引掛部１７における先端部２１は、折り返し点６６において折り返されている。折り返し点６６よりも先端側の部分（以下では折り返し部６７とする）は、先端部２１のうち、折り返し点６６よりも根元側の部分（以下では非折り返し部６９とする）の上側に位置し、非折り返し部６９と対向する。折り返し部６７は押さえ部に対応する。折り返し部６７と非折り返し部６９との間には、ボタンを保持できる程度の間隔が存在する。折り返し部６７と非折り返し部６９とは、折り返し点６６により接続している。
【００６２】
２．ボタン掛け具１の使用方法
ボタン掛け具１の使用方法は第１実施形態と同様である。ボタン掛け具１を使用するとき、折り返し部６７は以下のように作用する。
【００６３】
引掛部１７でボタン５１を引掛けるとき、まず、ボタン５１を、広幅部２３において、引掛部１７の裏側から表側に通過させる。このとき、広幅部２３の上方に折り返し部６７は存在しないため、折り返し部６７とボタン５１とが干渉することはない。
【００６４】
次に、引掛部１７を移動させることにより、非折り返し部６９でボタン５１を引掛ける。このとき、折り返し点６６はボタン５１の側面に当接する。また、折り返し部６７は、ボタン５１を、非折り返し部６９とともに上下から挟む。
【００６５】
３．ボタン掛け具１が奏する効果
以上詳述した第３実施形態によれば、前述した第１実施形態の効果（１Ａ）〜（１Ｇ）、及び第２実施形態の効果（２Ｄ）を奏し、さらに、以下の効果を奏する。
【００６６】
（３Ａ）非折り返し部６９で引掛けたボタンを折り返し部６７が押さえることにより、ボタンの姿勢が安定する。そのため、引掛部１７で引掛けたボタンをボタンホールに引き寄せる段階（図１２のステップ３参照）で、ボタンが裏返ったり、立ったりすることを抑制できる。その結果、ボタンをボタンホールに引き寄せる操作が一層容易になる。
【００６７】
（３Ｂ）折り返し部６７と非折り返し部６９とは、折り返し点６６により接続している。そのため、折り返し点６６をボタンの側面に当接させ、ボタンを一層安定して保持することができる。
【００６８】
＜他の実施形態＞
以上、本発明を実施するための形態について説明したが、本発明は上述の実施形態に限定されることなく、種々変形して実施することができる。
【００６９】
（１）第１〜第３実施形態において、柄３の側に軸受け３５があり、回転部５の側に軸２５があってもよい。この場合、第１、第３実施形態では、回転部５の側に設けられた軸２５のうち、側面３７側に平坦部３３を形成することができる。また、第２実施形態では、回転部５の側に設けられた軸２５に凹部６１、６３を形成し、柄３の側に設けられた軸受け３５に凸部６５を形成することができる。
【００７０】
（２）第１〜第３実施形態において、回転部５の回転抵抗を変化させる構成は他のものであってもよい。例えば、ボタン掛け具１が、柄３に対する回転部５の角度を検出する第１のセンサと、回転部５に加わる力の大きさ及び方向を検出する第２のセンサと、回転部５の回転抵抗を増減する機械式又は電子式のブレーキ機構と、各部を制御する制御部と、を備えていてもよい。そして、制御部は、第１のセンサを用いて、柄３に対する回転部５の角度が第１の角度であることを検出し、且つ、第２のセンサを用いて、先端部２１から軸２５に向かう方向の力Ｆを検出したときに、ブレーキ機構を作動させ、回転部５の回転抵抗を大きくしてもよい。
【００７１】
（３）第１〜第３実施形態において、回転部５は、根元部１５に相当する部分と引掛部１７に相当する部分とが一体に形成されたものであってもよい。
（４）第１〜第３実施形態において、引掛部１７の形態は他の形態であってもよい。例えば、引掛部１７は、楕円型の形態であってもよい。
【００７２】
（５）第１〜第３実施形態において、第１の角度は、ピンポイントの角度であってもよいし、一定の幅を持つ角度範囲であってもよい。
（６）第１〜第３実施形態において、柄３に対する回転部５の角度が第１の角度であり、且つ、回転部５に対し、先端部２１から軸２５に向かう方向の力Ｆが加わっているとき、回転部５の角度を完全に固定するようにしてもよい。
【００７３】
（７）第２実施形態において、押さえ部５９の形態は、図２７に示すように、板状であってもよい。押さえ部５９の板厚方向は上下方向である。側面視において押さえ部５９は一直線に沿って延びている。
【００７４】
また、第２実施形態において、押さえ部５９の形態は、図２８に示すように、棒状であってもよい。上面視及び側面視において押さえ部５９は一直線に沿って延びている。押さえ部５９の断面形状は、例えば、円形、楕円形、多角形等である。
【００７５】
（８）第２実施形態において、押さえ部５９の先端と、引掛部１７の先端とは接続していてもよい。この場合、その接続部をボタンの側面に当接させ、ボタンを保持することができる。
【００７６】
（９）第２実施形態において、押さえ部５９の先端は、引掛部１７の先端よりも、側面１９から離れる方向に突出していてもよい。また、引掛部１７の先端は、押さえ部５９の先端よりも、側面１９から離れる方向に突出していてもよい。
【００７７】
（１０）第２実施形態において、図２９に示すように、側面視において、押さえ部５９は水平方向に延びていてもよい。引掛部１７は、側面１９から、広幅部２３における最も幅が広い位置までの区間では、引掛部１７の先端側が下がるように傾斜し、広幅部２３における最も幅が広い位置から、引掛部１７の先端までの区間では、先端側が上がるように傾斜していてもよい。
【００７８】
（１１）第１、第３実施形態において、軸２５及び軸受け３５の構成を、第２実施形態と同様としてもよい。また、第２実施形態において、軸２５及び軸受け３５の構成を、第１、第３実施形態と同様としてもよい。
【００７９】
（１２）上記各実施形態における１つの構成要素が有する機能を複数の構成要素に分担させたり、複数の構成要素が有する機能を１つの構成要素に発揮させたりしてもよい。また、上記各実施形態の構成の一部を省略してもよい。また、上記各実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【符号の説明】
【００８０】
１…ボタン掛け具、３…柄、５…回転部、７…第１底面、９…第２底面、１１、１１１…孔、１３…凹凸、１５…根元部、１７…引掛部、１９、３７…側面、２１…先端部、２３…広幅部、２５…軸、２９…棒状部材、３１…鍔部、３３…平坦部、３５…軸受け、４１…付勢部、４３…本体部、４３Ａ…軸部、４３Ｂ…押圧部、４５…バネ、４７…第１の面、４９…第１の布、５１…ボタン、５３…第２の布、５５…ボタンホール、５７…糸、５９…押さえ部、６１、６３…凹部、６４…壁、６５…凸部、６６…折り返し点、６７…折り返し部、６９…非折り返し部
【図１】
0006712542.tif 000002
【図２】
0006712542.tif 000003
【図３】
0006712542.tif 000004
【図４】
0006712542.tif 000005
【図５】
0006712542.tif 000006
【図６】
0006712542.tif 000007
【図７】
0006712542.tif 000008
【図８】
0006712542.tif 000009
【図９】
0006712542.tif 000010
【図１０】
0006712542.tif 000011
【図１１】
0006712542.tif 000012
【図１２】
0006712542.tif 000013
【図１３】
0006712542.tif 000014
【図１４】
0006712542.tif 000015
【図１５】
0006712542.tif 000016
【図１６】
0006712542.tif 000017
【図１７】
0006712542.tif 000018
【図１８】
0006712542.tif 000019
【図１９】
0006712542.tif 000020
【図２０】
0006712542.tif 000021
【図２１】
0006712542.tif 000022
【図２２】
0006712542.tif 000023
【図２３】
0006712542.tif 000024
【図２４】
0006712542.tif 000025
【図２５】
0006712542.tif 000026
【図２６】
0006712542.tif 000027
【図２７】
0006712542.tif 000028
【図２８】
0006712542.tif 000029
【図２９】
0006712542.tif 000030